(57)【要約】【課題】各種機能試験が実施可能であるとともに、操作部や表示部が少なく操作性に優れる火災受信機を提供する。【解決手段】火災を感知する複数の火災感知器２０が所定の信号線を介して接続される住戸受信機３０において、感知器２０に異常があるか否かを検出して異常が検出された火災感知器２０を表示する感知器作動試験を実施する第１試験実施手段（制御部３１）と、火災感知器２０の作動状態に係る表示を擬似的に行う火災表示試験を実施する第２試験実施手段（制御部３１）と、所定の態様で操作されることにより感知器作動試験及び火災表示試験を実施させるための信号を第１試験実施手段及び第２試験実施手段に送出する火災試験スイッチ５３と、火災試験スイッチ５３の操作態様に応じて第１試験実施手段及び第２試験実施手段の何れを起動させるかを決定する試験切替手段（制御部３１）と、を備える。【選択図】　図２
2004110641.tif 000002
【特許請求の範囲】
【請求項１】
火災を感知する複数の感知器が所定の信号線を介して接続される火災受信機において、
前記感知器に異常があるか否かを検出して異常が検出された前記感知器を表示する感知器作動試験を実施する第１試験実施手段と、
前記感知器の作動状態に係る表示を擬似的に行う火災表示試験を実施する第２試験実施手段と、
所定の態様で操作されることにより、前記感知器作動試験及び前記火災表示試験を実施させるための信号を前記第１試験実施手段及び前記第２試験実施手段に送出する試験スイッチと、
前記試験スイッチの操作態様に応じて前記第１試験実施手段及び前記第２試験実施手段の何れを起動させるかを決定する試験切替手段と、
を備えることを特徴とする火災受信機。
【請求項２】
前記試験切替手段は、
前記試験スイッチの操作時間に応じて前記第１試験実施手段及び前記第２試験実施手段の何れを起動させるかを決定することを特徴とする請求項１に記載の火災受信機。
【請求項３】
前記試験切替手段は、
前記試験スイッチの操作時間が所定時間未満の場合には前記第１試験実施手段を起動させる一方、前記試験スイッチの操作時間が所定時間以上の場合には前記第２試験実施手段を起動させることを特徴とする請求項２に記載の火災受信機。
【請求項４】
前記試験切替手段は、
前記試験スイッチの操作時間が所定時間未満の場合には前記第２試験実施手段を起動させる一方、前記試験スイッチの操作時間が所定時間以上の場合には前記第１試験実施手段を起動させることを特徴とする請求項２に記載の火災受信機。
【請求項５】
火災を感知する複数の感知器と、建物内の火災に係る監視及び報知を行う住棟受信機と、に所定の信号線を介して接続されるとともに住戸内に設置され、前記感知器の作動により警報表示を行う火災受信機において、
前記感知器に異常があるか否かを検出して異常が検出された前記感知器を表示する感知器作動試験を実施する第１試験実施手段と、
前記感知器の作動状態に係る表示を擬似的に行う火災表示試験を実施する第２試験実施手段と、
所定の態様で操作されることにより、前記感知器作動試験及び前記火災表示試験を実施させるための信号を前記第１試験実施手段及び前記第２試験実施手段に送出する試験スイッチと、
前記試験スイッチの操作態様に応じて前記第１試験実施手段及び前記第２試験実施手段の何れを起動させるかを決定する試験切替手段と、
火災確定に係る表示を行うとともに前記住棟受信機に火災確定信号を送出する火災確定手段と、
前記感知器の作動時に付勢され、所定の設定時間経過後に前記感知器が作動している場合に前記火災確定手段を作動させるタイマと、
前記感知器の作動状態に係る表示を火災確定状態に係る表示に擬似的に移行させる火災確定試験を実施する第３試験実施手段と、
を備え、
前記試験切替手段は、
前記試験スイッチの操作時間が所定時間未満の場合には前記第１試験実施手段を起動させる一方、前記試験スイッチの操作時間が所定時間以上の場合には前記第２試験実施手段を起動させ、
前記第３試験実施手段は、
前記火災表示試験を実施した後に前記試験スイッチを前記タイマの前記設定時間継続して操作することにより前記タイマを作動させて、所定の設定時間経過後に前記火災確定試験を実施することを特徴とする火災受信機。
【請求項６】
火災を感知する複数の感知器と、建物内の火災に係る監視及び報知を行う住棟受信機と、に所定の信号線を介して接続されるとともに住戸内に設置され、前記感知器の作動により警報表示を行う火災受信機において、
前記感知器に異常があるか否かを検出して異常が検出された前記感知器を表示する感知器作動試験を実施する第１試験実施手段と、
前記感知器の作動状態に係る表示を擬似的に行う火災表示試験を実施する第２試験実施手段と、
所定の態様で操作されることにより、前記感知器作動試験及び前記火災表示試験を実施させるための信号を前記第１試験実施手段及び前記第２試験実施手段に送出する試験スイッチと、
前記試験スイッチの操作態様に応じて前記第１試験実施手段及び前記第２試験実施手段の何れを起動させるかを決定する試験切替手段と、
火災確定に係る表示を行うとともに前記住棟受信機に火災確定信号を送出する火災確定手段と、
前記感知器の作動時に付勢され、所定の設定時間経過後に前記感知器が作動している場合に前記火災確定手段を作動させるタイマと、
前記感知器の作動状態に係る表示を火災確定状態に係る表示に擬似的に移行させる火災確定試験を実施する第３試験実施手段と、
を備え、
前記試験切替手段は、
前記試験スイッチの操作時間が所定時間未満の場合には前記第２試験実施手段を起動させる一方、前記試験スイッチの操作時間が所定時間以上の場合には前記第１試験実施手段を起動させ、
前記第３試験実施手段は、
前記火災表示試験を実施した後に前記試験スイッチを前記タイマの前記設定時間継続して操作することにより前記タイマを作動させて、所定の設定時間経過後に前記火災確定試験を実施することを特徴とする火災受信機。
【請求項７】
前記第１試験実施手段は、
異常が検出された前記感知器の接続位置に対応する回数だけ所定の表示灯を点滅させることを特徴とする請求項１から６の何れか一項に記載の火災受信機。
【請求項８】
火災を感知する複数の感知器と、建物内の火災に係る監視及び報知を行う住棟受信機と、に所定の信号線を介して接続されるとともに住戸内に設置され、前記感知器の作動により警報表示を行う火災受信機において、
前記感知器の作動状態に係る表示を擬似的に行う火災表示試験を実施する火災表示試験実施手段と、
所定の態様で操作されることにより、前記火災表示試験を実施させるための信号を前記火災表示試験実施手段に送出する火災試験スイッチと、
火災確定に係る表示を行うとともに前記住棟受信機に火災確定信号を送出する火災確定手段と、
前記感知器の作動時に操作されることにより、前記火災確定手段を作動させる火災確定スイッチと、
前記感知器の作動状態に係る表示を火災確定状態に係る表示に擬似的に移行させる火災確定試験を実施する火災確定試験実施手段と、
所定の態様で操作されることにより、前記火災確定試験を実施させるための信号を前記火災確定試験実施手段に送出する特定スイッチと、
を備えることを特徴とする火災受信機。
【請求項９】
前記特定スイッチは、
前記火災確定スイッチであることを特徴とする請求項８に記載の火災受信機。
【請求項１０】
前記火災確定試験実施手段は、
前記火災試験スイッチの操作中における前記火災確定スイッチの操作により火災確定試験を実施することを特徴とする請求項９に記載の火災受信機。
【請求項１１】
火災を感知する複数の感知器と、建物内の火災に係る監視及び報知を行う住棟受信機と、に所定の信号線を介して接続されるとともに住戸内に設置され、前記感知器の作動により警報表示を行う火災受信機において、
前記感知器の作動状態に係る表示を擬似的に行う火災表示試験を実施する火災表示試験実施手段と、
所定の態様で操作されることにより、前記火災表示試験を実施させるための信号を前記火災表示試験実施手段に送出する火災試験スイッチと、
火災確定に係る表示を行うとともに前記住棟受信機に火災確定信号を送出する火災確定手段と、
前記感知器の作動時に付勢され、所定の設定時間経過後に前記感知器が作動している場合に前記火災確定手段を作動させるタイマと、
前記感知器の作動状態に係る表示を火災確定状態に係る表示に擬似的に移行させる火災確定試験を実施する火災確定試験実施手段と、
を備え、
前記火災確定試験実施手段は、
前記火災試験スイッチの所定の操作により前記タイマを作動させ、所定の設定時間経過後に前記火災確定試験を実施することを特徴とする火災受信機。
【請求項１２】
前記火災確定試験実施手段は、
前記火災試験スイッチを前記タイマの前記設定時間操作することにより前記火災確定試験を実施することを特徴とする請求項１１に記載の火災受信機。
【請求項１３】
火災を感知する複数の感知器が所定の信号線を介して接続される火災受信機において、
前記感知器に異常があるか否かを検出して異常が検出された前記感知器を所定の表示灯により表示する感知器作動試験を実施する感知器試験実施手段を備え、
前記感知器試験実施手段は、
異常が検出された前記感知器の接続位置に対応する回数だけ前記表示灯を点滅させることを特徴とする火災受信機。
【請求項１４】
前記表示灯は、
別用途の表示灯と兼用されることを特徴とする請求項７又は１３に記載の火災受信機。
【請求項１５】
住戸外に設置される戸外表示器が所定の配線を介して接続される火災受信機において、
前記戸外表示器からの試験信号を受信した場合に、自己の状態を確認し、自己の状態に対応した信号を前記戸外表示器に送出して警報音及び／又は警報メッセージを出力させる状態確認試験実施手段を備えることを特徴とする火災受信機。
【請求項１６】
前記状態確認試験実施手段は、
自己の状態が正常である場合には火災発生を報知する警報音及び／又は警報メッセージを出力させるための信号を前記戸外表示器に送出する一方、自己の状態が異常である場合にはその旨を報知する警報音及び／又は警報メッセージを出力させるための信号を前記戸外表示器に送出することを特徴とする請求項１５に記載の火災受信機。
【発明の詳細な説明】
【０００１】
【発明の属する技術分野】
本発明は、火災受信機に関する。
【０００２】
【従来の技術】
従来より、火災に係る異常を感知する複数の感知器と、建物の室内に設置された住戸受信機や室内受信機等の火災受信機と、この火災受信機を介して感知器に接続され建物の火災の感知及び報知を行う住棟受信機と、を備えた火災報知設備が提案され、実用化されている。かかる火災報知設備においては、感知器が正常に作動するか否かの作動試験（以下、「感知器作動試験」という）を一定期間毎に実施する必要がある。
【０００３】
前記した火災報知設備において、従来は、以下のような方式によって感知器作動試験を実施していた。
【０００４】
（１）火災受信機に、自動試験スイッチの操作回数により特定の試験を選択して実施する手段を設け、自動試験スイッチを所定回数操作することにより感知器作動試験を実施する方式（例えば、特許文献１参照。）。
（２）火災受信機である住戸用受信機に、火災試験スイッチを設け、火災試験スイッチを操作することにより感知器を強制的に発報させて感知器作動試験を行う方式（例えば、特許文献２参照。）。
（３）住棟受信機と、火災受信機である室内受信機と、の間に中継器を設け、住棟受信機からの試験開始コマンドにより、中継器で感知器作動試験を自動的に行う方式（例えば、特許文献３参照。）。
【０００５】
【特許文献１】
特開平７−２４９１８８号公報（第４頁、第１図）
【特許文献２】
特開平９−９１５７９号公報（第２頁、第１図）
【特許文献３】
特開平１１−８６１５９号公報（第１０頁、第１図）
【０００６】
【発明が解決しようとする課題】
ところで、前記した従来の火災報知設備においては、感知器作動試験に加えて、火災受信機が火災発生時に正常に作動するか否かを確認するための試験（以下、「火災表示試験」という）、火災表示試験を実施した後に感知器により火災が発生したことを確定させて住棟受信機に報知する火災確定動作の試験（以下、「火災確定試験」という）、等の各種機能試験を実施する必要がある。
【０００７】
また、前記した従来の火災報知設備に備えられる火災受信機には、戸外に設置される戸外表示器が所定の配線を介して接続される場合がある。かかる場合には、戸外表示器と火災受信機とを接続する配線の導通試験や、火災受信機が正常であるか否かの状態を確認する試験（以下、「状態確認試験」という）を行う必要がある。
【０００８】
しかし、これら火災表示試験、火災確定試験、導通試験、状態確認試験等の各種機能試験を、感知器作動試験と併せて実施するには、火災受信機に多数の操作部や表示部を備える必要があるため、火災受信機の製造に手間がかかるとともに操作性が低下するという問題があった。
【０００９】
本発明の課題は、各種機能試験が実施可能であるとともに、操作部や表示部が少なく操作性に優れる火災受信機を提供することである。
【００１０】
【課題を解決するための手段】
以上の課題を解決するため、請求項１に記載の発明は、
火災を感知する複数の感知器が所定の信号線を介して接続される火災受信機において、
前記感知器に異常があるか否かを検出して異常が検出された前記感知器を表示する感知器作動試験を実施する第１試験実施手段と、
前記感知器の作動状態に係る表示を擬似的に行う火災表示試験を実施する第２試験実施手段と、
所定の態様で操作されることにより、前記感知器作動試験及び前記火災表示試験を実施させるための信号を前記第１試験実施手段及び前記第２試験実施手段に送出する試験スイッチと、
前記試験スイッチの操作態様に応じて前記第１試験実施手段及び前記第２試験実施手段の何れを起動させるかを決定する試験切替手段と、
を備えることを特徴とする。
【００１１】
請求項１に記載の発明によれば、一の試験スイッチの操作によって、感知器作動試験と、火災表示試験と、の双方を実施することができる。従って、感知器作動試験を実施するための操作部と、火災表示試験を実施させるための操作部と、を別々に備える必要がないので、きわめて操作性に優れる。
【００１２】
請求項２に記載の発明は、請求項１に記載の火災受信機において、
前記試験切替手段は、
前記試験スイッチの操作時間に応じて前記第１試験実施手段及び前記第２試験実施手段の何れを起動させるかを決定することを特徴とする。
【００１３】
請求項３に記載の発明は、請求項２に記載の火災受信機において、
前記試験切替手段は、
前記試験スイッチの操作時間が所定時間未満の場合には前記第１試験実施手段を起動させる一方、前記試験スイッチの操作時間が所定時間以上の場合には前記第２試験実施手段を起動させることを特徴とする。
【００１４】
請求項４に記載の発明は、請求項２に記載の火災受信機において、
前記試験切替手段は、
前記試験スイッチの操作時間が所定時間未満の場合には前記第２試験実施手段を起動させる一方、前記試験スイッチの操作時間が所定時間以上の場合には前記第１試験実施手段を起動させることを特徴とする。
【００１５】
請求項５に記載の発明は、
火災を感知する複数の感知器と、建物内の火災に係る監視及び報知を行う住棟受信機と、に所定の信号線を介して接続されるとともに住戸内に設置され、前記感知器の作動により警報表示を行う火災受信機において、
前記感知器に異常があるか否かを検出して異常が検出された前記感知器を表示する感知器作動試験を実施する第１試験実施手段と、
前記感知器の作動状態に係る表示を擬似的に行う火災表示試験を実施する第２試験実施手段と、
所定の態様で操作されることにより、前記感知器作動試験及び前記火災表示試験を実施させるための信号を前記第１試験実施手段及び前記第２試験実施手段に送出する試験スイッチと、
前記試験スイッチの操作態様に応じて前記第１試験実施手段及び前記第２試験実施手段の何れを起動させるかを決定する試験切替手段と、
火災確定に係る表示を行うとともに前記住棟受信機に火災確定信号を送出する火災確定手段と、
前記感知器の作動時に付勢され、所定の設定時間経過後に前記感知器が作動している場合に前記火災確定手段を作動させるタイマと、
前記感知器の作動状態に係る表示を火災確定状態に係る表示に擬似的に移行させる火災確定試験を実施する第３試験実施手段と、
を備え、
前記試験切替手段は、
前記試験スイッチの操作時間が所定時間未満の場合には前記第１試験実施手段を起動させる一方、前記試験スイッチの操作時間が所定時間以上の場合には前記第２試験実施手段を起動させ、
前記第３試験実施手段は、
前記火災表示試験を実施した後に前記試験スイッチを前記タイマの前記設定時間継続して操作することにより前記タイマを作動させて、所定の設定時間経過後に前記火災確定試験を実施することを特徴とする。
【００１６】
請求項６に記載の発明は、
火災を感知する複数の感知器と、建物内の火災に係る監視及び報知を行う住棟受信機と、に所定の信号線を介して接続されるとともに住戸内に設置され、前記感知器の作動により警報表示を行う火災受信機において、
前記感知器に異常があるか否かを検出して異常が検出された前記感知器を表示する感知器作動試験を実施する第１試験実施手段と、
前記感知器の作動状態に係る表示を擬似的に行う火災表示試験を実施する第２試験実施手段と、
所定の態様で操作されることにより、前記感知器作動試験及び前記火災表示試験を実施させるための信号を前記第１試験実施手段及び前記第２試験実施手段に送出する試験スイッチと、
前記試験スイッチの操作態様に応じて前記第１試験実施手段及び前記第２試験実施手段の何れを起動させるかを決定する試験切替手段と、
火災確定に係る表示を行うとともに前記住棟受信機に火災確定信号を送出する火災確定手段と、
前記感知器の作動時に付勢され、所定の設定時間経過後に前記感知器が作動している場合に前記火災確定手段を作動させるタイマと、
前記感知器の作動状態に係る表示を火災確定状態に係る表示に擬似的に移行させる火災確定試験を実施する第３試験実施手段と、
を備え、
前記試験切替手段は、
前記試験スイッチの操作時間が所定時間未満の場合には前記第２試験実施手段を起動させる一方、前記試験スイッチの操作時間が所定時間以上の場合には前記第１試験実施手段を起動させ、
前記第３試験実施手段は、
前記火災表示試験を実施した後に前記試験スイッチを前記タイマの前記設定時間継続して操作することにより前記タイマを作動させて、所定の設定時間経過後に前記火災確定試験を実施することを特徴とする。
【００１７】
請求項５又は請求項６に記載の発明によれば、一の試験スイッチの操作によって、火災表示試験時に火災確定試験を実施することができる。また、感知器作動試験と、火災表示試験と、火災確定試験と、を一の試験スイッチの操作によって実施することができるので、操作部を多数備える必要がなく、きわめて操作性に優れる。さらに、火災表示試験時にタイマが機能するか否かを確認することができる。
【００１８】
請求項７に記載の発明は、請求項１から６の何れか一項に記載の火災受信機において、
前記第１試験実施手段は、
異常が検出された前記感知器の接続位置に対応する回数だけ所定の表示灯を点滅させることを特徴とする。
【００１９】
請求項７に記載の発明によれば、第１試験実施手段は、異常が検出された感知器の接続位置に対応する回数だけ所定の表示灯を点滅表示させることができるの。従って、例えば、別用途の表示灯を流用することによって、異常が検出された感知器を表示するための専用の表示灯を別途設けることなく、異常が検出された感知器を表示することができる。
【００２０】
請求項８に記載の発明は、
火災を感知する複数の感知器と、建物内の火災に係る監視及び報知を行う住棟受信機と、に所定の信号線を介して接続されるとともに住戸内に設置され、前記感知器の作動により警報表示を行う火災受信機において、
前記感知器の作動状態に係る表示を擬似的に行う火災表示試験を実施する火災表示試験実施手段と、
所定の態様で操作されることにより、前記火災表示試験を実施させるための信号を前記火災表示試験実施手段に送出する火災試験スイッチと、
火災確定に係る表示を行うとともに前記住棟受信機に火災確定信号を送出する火災確定手段と、
前記感知器の作動時に操作されることにより、前記火災確定手段を作動させる火災確定スイッチと、
前記感知器の作動状態に係る表示を火災確定状態に係る表示に擬似的に移行させる火災確定試験を実施する火災確定試験実施手段と、
所定の態様で操作されることにより、前記火災確定試験を実施させるための信号を前記火災確定試験実施手段に送出する特定スイッチと、
を備えることを特徴とする。
【００２１】
請求項８に記載の発明によれば、火災試験スイッチの操作により火災表示試験を実施することができるとともに、特定スイッチの操作により火災確定試験を実施することができる。従って、例えば、別用途のスイッチを特定スイッチとして使用することによって、火災確定試験用の操作部を別途設ける手間を省くことができる。
【００２２】
請求項９に記載の発明は、請求項８に記載の火災受信機において、
前記特定スイッチは、
前記火災確定スイッチであることを特徴とする。
【００２３】
請求項９に記載の発明によれば、火災確定スイッチを、火災確定試験を実施させる特定スイッチとして機能させることができるので、火災確定試験用の操作部を別途設ける必要がない。
【００２４】
請求項１０に記載の発明は、請求項９に記載の火災受信機において、
前記火災確定試験実施手段は、
前記火災試験スイッチの操作中における前記火災確定スイッチの操作により火災確定試験を実施することを特徴とする。
【００２５】
請求項１０に記載の発明によれば、火災確定試験実施手段は、火災試験スイッチの操作中における火災確定スイッチの操作により火災確定試験を実施するので、火災表示試験に引き続いて火災確定試験を実施することができる。また、火災表示試験時に火災確定スイッチが機能するか否かを確認することができる。
【００２６】
請求項１１に記載の発明は、
火災を感知する複数の感知器と、建物内の火災に係る監視及び報知を行う住棟受信機と、に所定の信号線を介して接続されるとともに住戸内に設置され、前記感知器の作動により警報表示を行う火災受信機において、
前記感知器の作動状態に係る表示を擬似的に行う火災表示試験を実施する火災表示試験実施手段と、
所定の態様で操作されることにより、前記火災表示試験を実施させるための信号を前記火災表示試験実施手段に送出する火災試験スイッチと、
火災確定に係る表示を行うとともに前記住棟受信機に火災確定信号を送出する火災確定手段と、
前記感知器の作動時に付勢され、所定の設定時間経過後に前記感知器が作動している場合に前記火災確定手段を作動させるタイマと、
前記感知器の作動状態に係る表示を火災確定状態に係る表示に擬似的に移行させる火災確定試験を実施する火災確定試験実施手段と、
を備え、
前記火災確定試験実施手段は、
前記火災試験スイッチの所定の操作により前記タイマを作動させ、所定の設定時間経過後に前記火災確定試験を実施することを特徴とする。
【００２７】
請求項１１に記載の発明によれば、火災確定試験実施手段は、火災試験スイッチの所定の操作によりタイマを作動させ、所定の設定時間経過後に火災確定試験を実施するので、火災表示試験に引き続いて火災確定試験を実施することができる。また、火災表示試験時にタイマが機能するか否かを確認することができる。
【００２８】
請求項１２に記載の発明は、請求項１１に記載の火災受信機において、
前記火災確定試験実施手段は、
前記火災試験スイッチを前記タイマの前記設定時間操作することにより前記火災確定試験を実施することを特徴とする。
【００２９】
請求項１３に記載の発明は、
火災を感知する複数の感知器が所定の信号線を介して接続される火災受信機において、
前記感知器に異常があるか否かを検出して異常が検出された前記感知器を所定の表示灯により表示する感知器作動試験を実施する感知器試験実施手段を備え、前記感知器試験実施手段は、
異常が検出された前記感知器の接続位置に対応する回数だけ前記表示灯を点滅させることを特徴とする。
【００３０】
請求項１３に記載の発明によれば、感知器試験実施手段は、異常が検出された感知器の接続位置に対応する回数だけ所定の表示灯を点滅させることにより、異常が検出された感知器を表示することができる。従って、例えば、異常が検出された感知器を表示するための専用の表示灯を別途設けることなく、別用途の表示灯を流用することによって、異常が検出された感知器を表示することができる。
【００３１】
請求項１４に記載の発明は、請求項７又は１３に記載の火災受信機において、
前記表示灯は、
別用途の表示灯と兼用されることを特徴とする。
【００３２】
請求項１５に記載の発明は、
住戸外に設置される戸外表示器が所定の配線を介して接続される火災受信機において、
前記戸外表示器からの試験信号を受信した場合に、自己の状態を確認し、自己の状態に対応した信号を前記戸外表示器に送出して警報音及び／又は警報メッセージを出力させる状態確認試験実施手段を備えることを特徴とする。
【００３３】
請求項１５に記載の発明によれば、戸外表示器からの試験信号を受信した場合に、自己の状態を確認し、自己の状態に対応した信号を戸外表示器に送出して警報音及び／又は警報メッセージを出力させる状態確認試験実施手段を備えるので、戸外表示器と火災受信機とを接続する配線の異常の有無を確認する試験（導通試験）と、火災受信機の状態確認試験と、の双方を実施することができる。しかも、これら導通試験と状態確認試験とを実施するための操作部を設ける必要がない。
【００３４】
請求項１６に記載の発明は、請求項１５に記載の火災受信機において、
前記状態確認試験実施手段は、
自己の状態が正常である場合には火災発生を報知する警報音及び／又は警報メッセージを出力させるための信号を前記戸外表示器に送出する一方、自己の状態が異常である場合にはその旨を報知する警報音及び／又は警報メッセージを出力させるための信号を前記戸外表示器に送出することを特徴とする。
【００３５】
【発明の実施の形態】
以下、本発明の実施の形態について、図面を参照しながら説明する。
【００３６】
まず、図１を用いて、本実施の形態に係る火災受信機である住戸受信機３０を備えた火災報知設備１の構成について説明する。図１は、火災報知設備１の構成を説明するためのものであり、複数の住戸に渡って設置される設備の中から一住戸分の設備を抜き出して示した部分構成図である。
【００３７】
本実施の形態に係る火災報知設備１は、集合住宅等の建物に設置されるものであり、図１に示すように、建物全体の火災の監視および報知を行う住棟受信機１０、火災の感知を行う火災感知器２０、集合住宅の複数の住戸内に設置される例えばＧＰ型３級受信機（住宅情報盤とも言う）等の住戸受信機３０、等を備えて構成されている。
【００３８】
各住戸に設けられた住戸受信機３０には、それぞれアドレスが付与されるとともに、信号線ＳＧによって住棟受信機１０に接続され、個別に通信可能となっている。この住戸受信機３０には、電源線Ｖを介して非常電源装置１１から電源が供給される。また、住戸受信機３０には、回線Ｌ、Ｃを介して感知器２０が接続されている。なお、住棟受信機１０から住戸受信機３０へ電源供給するようにしてもよい。
【００３９】
住棟受信機１０は、住戸受信機３０とアドレスポーリング形式の通信を行う通信手段を備え、住戸受信機３０からの火災確定信号を受信して火災報知を行う機能を備えるとともに、火災感知器２０の自動試験を行う機能を備えるものである。
【００４０】
火災感知器２０は、本発明における感知器であり、例えば、アドレスを有さないオンオフ式の熱感知器や煙感知器等を採用することができる。火災感知器２０は、住戸受信機３０からの遠隔操作により自動的に作動試験を行う試験機能を有するものである。
【００４１】
かかる試験機能は、例えば、パルス信号に基づき疑似的な火災感知状態を各火災感知器２０に発生させる回路、パルス信号を吸収して後続の火災感知器２０にパルス信号を伝えないローパス回路、このローパス回路をオン／オフさせるスイッチ回路、等の回路構成により実現することができる。そして、試験開始時に全ての火災感知器２０のローパス回路をオン状態にしておき、各火災感知器２０の試験後（疑似火災感知状態の終了後）に、ローパス回路をオフ状態にしていくことで、連続する複数の火災感知器２０を個々に試験できるようになっている。
【００４２】
住戸受信機３０は、本発明における火災受信機であり、各住戸に備わる火災感知器２０により各住戸での火災の報知を行うもので、住居人等が火災を確認した場合に操作する火災確定スイッチ５１や、火災警報を停止させる音響停止スイッチ５２等が設けられている。そして、火災感知器２０がオン作動した場合に火災確定スイッチ５１をオン操作することで、又は、後述するタイマの作動から所定の設定時間（例えば２〜５分）経過することで、火災の確定を示す火災確定信号が住棟受信機１０に出力されるようになっている。
【００４３】
また、住戸受信機３０には、図１に示すように、戸外に設置された戸外表示器７０が所定の配線Ｄ、Ｔ、Ｓを介して接続されている。戸外表示器７０には、表示灯７１、試験スイッチ７２、スピーカ７３等が設けられている。
【００４４】
次に、図２を用いて、本実施の形態に係る火災受信機である住戸受信機３０の構成を説明する。図２は、住戸受信機３０の構成を説明するためのブロック図である。
【００４５】
住戸受信機３０は、全体の制御を行う制御部３１、電源線ＶＧに接続され非常電源装置１１からの電力を各構成部に供給する電源部３２、住棟受信機１０との間で信号の送受信を行う伝送部３３、火災感知器２０と回線Ｌ、Ｃを介して接続される地区回路部３４、及び、後述する音響・音声増幅部６３に接続される音響・音声発生部３５を備えている。
【００４６】
また、住戸受信機３０は、表示部である火災灯４１、警報音停止灯４２及び電源灯４３を備えている。これら火災灯４１、警報音停止灯４２及び電源灯４３は各々制御部３１に接続されており、各々の動作は制御部３１によって制御される。
【００４７】
また、住戸受信機３０は、操作部である火災確定スイッチ５１、音響停止スイッチ５２及び火災試験スイッチ５３を備えている。これら火災確定スイッチ５１、音響停止スイッチ５２及び火災試験スイッチ５３は、スイッチ入力部５４を介して制御部３１に接続されており、各々のオン操作による入力信号は、スイッチ入力部５４を介して制御部３１に伝送される。火災試験スイッチ５３は、本発明における試験スイッチである。
【００４８】
また、住戸受信機３０は、戸外表示器７０との接続用に、戸外表示灯点灯部６１、導通試験入力部６２及び音響・音声増幅部６３を備えている。戸外表示器の試験スイッチ７２の操作により導通試験入力部６２に入力された試験信号は、スイッチ入力部５４を介して制御部３１に伝送される。この試験信号を受けた制御部３１は、音声等を出力するための指令信号を伝送して、音響・音声発生部３５及び音響・音声増幅部６３を介して音声等を出力する。この際、住戸受信機３０自体に設けられた音響装置３６にも指令信号を伝送して音声等を出力する。
【００４９】
次に、本実施の形態に係る火災報知設備１の火災発生時の動作について説明する。
【００５０】
火災感知器２０が火災を感知して作動すると、回線Ｌ、Ｃ線が短絡する。かかる回線Ｌ、Ｃ線の短絡は、住戸受信機３０の地区回路部３４によって検出され、その検出信号が制御部３１へと伝送される。この検出信号を受けた制御部３１は、火災灯４１を所定の態様で点滅させるとともに、音響装置３６から感知器作動警報音及び／又は「火災感知器が作動しました。確認して下さい。」等の感知器作動メッセージを出力して、火災表示を行う。また、制御部３１は、この火災表示と併せて、図示していないタイマを作動させる。
【００５１】
この時点で、住戸受信機３０の火災確定スイッチ５１がオン操作された場合、又は、タイマの設定時間（例えば２分間）が経過した場合には、制御部３１は、火災灯４１を別の態様で点滅させるとともに、音響装置３６から火災確定警報音及び／又は「火災が発生しました。避難して下さい。」等の火災確定メッセージを出力して、火災確定表示を行う。また、制御部３１は、信号線ＳＧを介して住棟受信機１０に火災確定信号を送出する。さらに、制御部３１は、火災確定表示と併せて、戸外表示灯点灯部６１を介して戸外表示器７０の表示灯７１を点灯させるとともに、音響・音声増幅部６３を介してスピーカ７３から警報音及び／又は警報メッセージを出力させる。すなわち、制御部３１は、本発明における火災確定手段である。
【００５２】
この後、火災感知器２０が復旧した状態で音響停止スイッチ５２がオン操作されると、制御部３１は、通常の火災監視処理に移行させる。また、火災発生時においても音響停止スイッチ５２をオン操作することにより、出力されている警報音及び／又は警報メッセージを停止させることができる。
【００５３】
次に、図３を用いて、本実施の形態に係る住戸受信機３０の火災試験スイッチ５３の操作による各種機能試験の動作について説明する。図３は、本実施の形態に係る住戸受信機３０の各種機能試験の動作を説明するためのフローチャートである。
【００５４】
住戸受信機３０の制御部３１は、火災監視処理Ａ中に、火災試験スイッチ５３がオン操作されたか否かを判定する（オン操作判定工程：Ｓ１）。火災試験スイッチ５３がオン操作されていない場合には、制御部３１は火災監視処理Ａを続行する。火災試験スイッチ５３がオン操作された場合には、制御部３１は電源灯４３を消灯させる（電源灯消灯工程：Ｓ２）。
【００５５】
次いで、住戸受信機３０の制御部３１は、火災試験スイッチ５３が２秒継続してオン操作されたか否かを判定する（オン操作経過時間判定工程：Ｓ３）。
【００５６】
オン操作経過時間判定工程Ｓ３において、火災試験スイッチ５３が２秒継続してオン操作されない（すなわち２秒経過前にオフ操作された）と判定された場合には、制御部３１は、感知器作動試験を実施する（感知器試験実施工程：Ｓ４）。なお、感知器作動試験とは、火災感知器２０に異常があるか否かを検出して、異常が検出された火災感知器２０を表示する試験である。制御部３１は、本発明における第１試験実施手段及び感知器試験実施手段である。また、制御部３１は、本発明における試験切替手段としても機能する。
【００５７】
感知器作動試験の結果、火災感知器２０に異常がない場合には、住戸受信機３０の制御部３１は、電源灯４３を点灯させ（感知器正常表示工程：Ｓ５）、感知器作動試験処理をリセットして、火災監視処理Ａに移行する。
【００５８】
一方、感知器作動試験の結果、火災感知器２０に異常が検出された場合には、制御部３１は、警報音停止灯４２を点滅させる（感知器異常表示工程：Ｓ６）。この際、制御部３１は、異常が検出された火災感知器２０の接続位置に対応する回数だけ、警報音停止灯４２を点滅させる。警報音停止灯４２は、本発明における表示灯である。
【００５９】
例えば、２番目に接続された火災感知器２０から異常が検出された場合に警報音停止灯４２を２回点滅させ、少し間隔をおいて再度２回点滅させ、以下この点滅表示を繰り返し行うことで、異常が検出された火災感知器２０の接続位置を明確に表示することができる。そして、警報音停止灯４２によって表示された火災感知器２０の修理点検を促すことができる。
【００６０】
オン操作経過時間判定工程Ｓ３において、火災試験スイッチ５３が２秒継続してオン操作されたと判定された場合には、制御部３１は、火災表示試験に移行する。なお、火災表示試験とは、住戸受信機３０の火災灯４１を点滅させたり、音響装置３６から警報音及び／又は警報メッセージを出力したりすることにより、火災発生時に住戸受信機３０が正常に作動するか否かを確認するための試験である。制御部３１は、本発明における第２試験実施手段及び火災表示試験実施手段である。
【００６１】
制御部３１は、火災表示試験の実施に先立って電源灯４３を点灯させ（電源灯点灯工程：Ｓ７）、タイマを付勢する（タイマセット工程：Ｓ８）。このタイマは、火災感知器２０の作動時に作動するタイマと同一である。その後、制御部３１は、火災灯４１を点滅させるとともに、音響装置から警報音及び／又は警報メッセージを出力して、火災表示試験を行う（火災表示試験工程：Ｓ９）。
【００６２】
この火災表示試験中に、制御部３１は、火災確定スイッチ５１がオン操作されたか否かを判定する（確定スイッチ判定工程：Ｓ１０）。火災確定スイッチ５１がオン操作されていない場合には、制御部３１は、タイマの規定時間（２分間）が経過したか否かを判定する（タイマ計時判定工程：Ｓ１１）。そして、タイマの規定時間が経過していない場合には、火災試験スイッチ５３がオフ操作されたか否かを判定する（オフ操作判定工程：Ｓ１２）。火災試験スイッチ５３がオフ操作されたと判定された場合には、火災表示試験処理をリセットして、火災監視処理Ａに移行する。
【００６３】
一方、火災確定スイッチ５１がオン操作された場合、又は、タイマの規定時間が経過した場合には、制御部３１は、火災確定試験を実施する（火災確定試験工程：Ｓ１３）。なお、火災確定試験とは、住戸受信機３０の火災灯４１を、別の態様で点滅させたり、音響装置３６から火災確定警報音及び／又は火災確定メッセージを出力したりすることにより、火災確定時に住戸受信機３０が正常に作動するか否かを確認するための試験である。但し、この試験の際に住棟受信機１０及び戸外表示器７０への信号移信は行わない。制御部３１は、本発明における第３試験実施手段及び火災確定試験実施手段である。
【００６４】
制御部３１は、この火災確定試験終了後に、火災試験スイッチ５３がオフ操作されたか否かを判定し（オフ操作判定工程：Ｓ１２）、火災試験スイッチ５３がオフ操作されたと判定された場合には、火災表示試験処理をリセットして、火災監視処理Ａに移行する。
【００６５】
次に、図４を用いて、本実施の形態に係る住戸受信機３０に接続された戸外表示器７０の試験スイッチ７２の操作による試験動作について説明する。この試験は、住戸受信機３０と戸外表示器７０とを接続する配線の異常の有無を確認するための試験（導通試験）である。図４は、本実施の形態に係る住戸受信機３０の導通試験を説明するためのフローチャートである。
【００６６】
まず、住戸受信機３０の制御部３１は、戸外表示器７０の試験スイッチ７２がオン操作されて試験信号が導通試験入力部６２を介して伝送されたか否かを確認する（オン操作確認工程：Ｓ２１）。試験スイッチ７２がオン操作されたことが確認された場合には、制御部３１は、住戸受信機３０自体の状態を確認する（状態確認工程：Ｓ２２）。一方、試験スイッチ７２がオン操作されたことが確認されない場合には、制御部３１は、引き続き試験信号の伝送を待ち受ける。
【００６７】
状態確認工程Ｓ２２において、制御部３１が、住戸受信機３０自体の状態が正常であると判定した場合には、火災確定警報音及び／又は火災確定メッセージを出力するための信号を音響・音声発生部３５及び音響・音声増幅部６３を介して戸外表示器７０に伝送し、スピーカ７３から出力させる（正常表示工程：Ｓ２３）。
【００６８】
一方、状態確認工程Ｓ２２において、制御部３１が、住戸受信機３０自体に何らかの異常があると判定した場合には、異常警報音及び／又は異常メッセージを出力するための信号を音響・音声発生部３５及び音響・音声増幅部６３を介して戸外表示器７０に伝送し、スピーカ７３から出力させる（異常表示工程：Ｓ２４）。すなわち、制御部３１は、本発明における状態確認試験実施手段である。
【００６９】
正常表示工程Ｓ２３又は異常表示工程Ｓ２４を経た後、制御部３１は、戸外表示器７０の試験スイッチ７２がオフ操作されたか否かを確認する（オフ操作確認工程：Ｓ２５）。試験スイッチ７２がオフ操作されたことが確認された場合には、制御部３１は、火災確定警報音（及び／又は火災確定メッセージ）、又は、異常警報音（及び／又は異常メッセージ）の出力を停止させ、試験を終了させる。制御部３１は、試験スイッチ７２がオン操作されている間は、状態確認工程Ｓ２２と、正常表示工程Ｓ２３又は異常表示工程Ｓ２４と、の実施を継続させる。
【００７０】
住戸受信機３０と戸外表示器７０とを接続する配線に異常があった場合には、前記した火災確定警報音（及び／又は火災確定メッセージ）や、異常警報音（及び／又は異常メッセージ）が戸外表示器７０のスピーカ７３から出力されることはない。このため、配線の異常の有無を確認することができる。また、以上説明した導通試験においては、正常表示表示工程Ｓ２３及び異常表示工程Ｓ２４により、住戸受信機３０自体の状態をも確認することができる。なお、導通試験時に戸外表示灯７１を点滅させるようにしてもよい。
【００７１】
本実施の形態に係る住戸受信機３０においては、感知器作動試験及び火災表示試験を実施させる第１試験実施手段（感知器試験実施手段）及び第２試験実施手段（火災表示試験実施手段）としての制御部３１と、所定の操作により感知器作動試験及び火災表示試験を実施させるための信号を制御部３１に送出する火災試験スイッチ５３と、火災試験スイッチ５３を所定時間（２秒）継続してオン操作するか否かによって感知器作動試験及び火災表示試験の何れを実施させるかを決定する試験切替手段としての制御部３１と、を備えるので、火災試験スイッチ５３の操作のみによって、感知器作動試験及び火災表示試験の双方を実施することができる。従って、感知器作動試験を実施するための操作部と、火災表示試験を実施させるための操作部と、を別々に備える必要がないので、きわめて操作性に優れる。
【００７２】
また、本実施の形態に係る住戸受信機３０においては、火災確定試験実施手段としての制御部３１は、火災試験スイッチ５３をタイマの設定時間（２分間）操作することにより設定時間（２分間）経過後に火災確定試験を実施する。このため、火災試験スイッチ５３の操作のみによって、火災表示試験時に火災確定試験を実施させることができる。また、感知器作動試験と、火災表示試験と、火災確定試験と、を火災試験スイッチ５３の操作のみによって実施することができるので、操作部を多数備える必要がなく、きわめて操作性に優れる。また、操作部を多数備える必要がないので、美観を損なうこともない。さらに、火災表示試験時にタイマが機能するか否かを確認することができる。
【００７３】
また、本実施の形態に係る住戸受信機３０においては、第１試験実施手段（感知器試験実施手段）としての制御部３１が、異常が検出された火災感知器２０の接続位置に対応する回数だけ警報音停止灯４２を点滅させることができるので、異常が検出された火災感知器２０を表示するための専用の表示灯を別途設けることなく、異常が検出された火災感知器２０を表示することができる。
【００７４】
また、本実施の形態に係る住戸受信機３０においては、火災確定試験実施手段である制御部３１が、火災確定スイッチ５１の操作によって火災確定試験を実施する。このため、火災確定スイッチ５１を、火災確定試験用のスイッチ（本発明における特定スイッチ）として機能させることができるので、火災確定試験用の操作部を別途設ける手間を省くことができる。
【００７５】
また、本実施の形態に係る住戸受信機３０においては、火災確定試験実施手段である制御部３１が、火災試験スイッチ５３の操作中における火災確定スイッチ５１の操作により火災確定試験を実施するので、火災表示試験に引き続いて火災確定試験を実施することができる。また、火災表示試験時に火災確定スイッチ５１が機能するか否かを確認することができる。
【００７６】
また、本実施の形態に係る住戸受信機３０は、戸外表示器７０からの試験信号を受信した場合に、自己の状態に対応した信号を戸外表示器７０に送出して火災確定警報音（及び／又は火災確定メッセージ）又は異常警報音（及び／又は異常メッセージ）を戸外表示器７０のスピーカ７３から出力させる状態確認試験実施手段としての制御部３１を備えている。このため、戸外表示機７０と住戸受信機３０とを接続する配線の異常の有無を確認する試験（導通試験）と、住戸受信機３０自体の状態確認試験と、の双方を実施することができる。しかも、これら導通試験と状態確認試験とを実施するための操作部を設ける必要がない。
【００７７】
なお、以上の実施の形態においては、住戸受信機３０の制御部３１の制御により、火災試験スイッチ５３を所定時間（２秒間）操作し続けた後、さらにタイマの設定時間（２分間）操作し続けることによって火災確定試験を実施している。これに対し、火災確定試験を実施しない場合には、火災試験スイッチ５３がオフ操作された後に、その操作時間が所定時間（２秒間）経過したか否かを判定することにより、感知器作動試験を実施するか、火災表示試験を実施するか、を決定することもできる。
【００７８】
また、以上の実施の形態においては、住戸受信機３０の制御部３１の制御により、火災試験スイッチ５３が継続して操作されている場合に火災表示試験を実施することとしているが、火災表示試験に移行した後に火災試験スイッチ５３をオフ操作し、他のスイッチ（例えば、音響停止スイッチ５２）の操作により火災表示試験を終了させることもできる。
【００７９】
また、以上の実施の形態においては、住戸受信機３０の制御部３１の制御により、火災試験スイッチ５３が２秒継続してオン操作された場合に火災表示試験が実施され、火災試験スイッチ５３が２秒経過前にオフ操作された場合に感知器作動試験が実施されるが、火災試験スイッチ５３が２秒継続してオン操作された場合に感知器作動試験が実施され、火災試験スイッチ５３が２秒経過前にオフ操作された場合に火災表示試験が実施されるように、制御部３１による制御動作を変更することもできる。
【００８０】
このように制御部３１による制御動作を変更した場合において、火災試験スイッチ５３を２秒経過前にオフ操作して火災表示試験を実施した後、火災試験スイッチ５３を再びオン操作してタイマを作動させ、このオン操作をタイマの設定時間（２分間）操作し続けることによって、火災確定試験を実施することもできる。
【００８１】
【発明の効果】
請求項１に記載の発明によれば、一の試験スイッチの操作によって、感知器作動試験と、火災表示試験と、の双方を実施することができる。従って、感知器作動試験を実施するための操作部と、火災表示試験を実施させるための操作部と、を別々に備える必要がないので、きわめて操作性に優れる。
【００８２】
請求項５又は請求項６に記載の発明によれば、一の試験スイッチの操作によって、火災表示試験時に火災確定試験を実施させることができる。また、感知器作動試験と、火災表示試験と、火災確定試験と、を一の試験スイッチの操作によって実施することができるので、操作部を多数備える必要がなく、きわめて操作性に優れる。さらに、火災表示試験時にタイマが機能するか否かを確認することができる。
【００８３】
請求項７に記載の発明によれば、第１試験実施手段は、異常が検出された感知器の接続位置に対応する回数だけ所定の表示灯を点滅表示させることができる。従って、例えば、別用途の表示灯を流用することによって、異常が検出された感知器を表示するための専用の表示灯を別途設けることなく、異常が検出された感知器を表示することができる。
【００８４】
請求項８に記載の発明によれば、火災試験スイッチの操作により火災表示試験を実施することができるとともに、特定スイッチの操作により火災確定試験を実施することができる。従って、例えば、別用途のスイッチを特定スイッチとして使用することによって、火災確定試験用の操作部を別途設ける手間を省くことができる。
【００８５】
請求項９に記載の発明によれば、火災確定スイッチを、火災確定試験を実施させる特定スイッチとして機能させることができるので、火災確定試験用の操作部を別途設ける必要がない。
【００８６】
請求項１０に記載の発明によれば、火災確定試験実施手段は、火災試験スイッチの操作中における火災確定スイッチの操作により火災確定試験を実施するので、火災表示試験に引き続いて火災確定試験を実施することができる。また、火災表示試験時に火災確定スイッチが機能するか否かを確認することができる。
【００８７】
請求項１１に記載の発明によれば、火災確定試験実施手段は、火災試験スイッチの所定の操作によりタイマを作動させ、所定の設定時間経過後に火災確定試験を実施するので、火災表示試験に引き続いて火災確定試験を実施することができる。また、火災表示試験時にタイマが機能するか否かを確認することができる。
【００８８】
請求項１３に記載の発明によれば、感知器試験実施手段は、異常が検出された感知器の接続位置に対応する回数だけ所定の表示灯を点滅させることにより、異常が検出された感知器を表示することができる。従って、例えば、別用途の表示灯を流用することによって、異常が検出された感知器を表示するための専用の表示灯を別途設けることなく、異常が検出された感知器を表示することができる。
【００８９】
請求項１５に記載の発明によれば、戸外表示器からの試験信号を受信した場合に、自己の状態に対応した信号を戸外表示器に送出して警報音及び／又は警報メッセージを出力させる状態確認試験実施手段を備えるので、戸外表示器と火災受信機とを接続する配線の異常の有無を確認する試験（導通試験）と、火災受信機の状態確認試験と、の双方を実施することができる。しかも、これら導通試験と状態確認試験とを実施するための操作部を設ける必要がない。
【図面の簡単な説明】
【図１】本実施の形態に係る火災受信機である住戸受信機を備えた火災報知設備の構成を説明するための部分構成図である。
【図２】本実施の形態に係る火災受信機である住戸受信機の構成を示すブロック図である。
【図３】本実施の形態に係る火災受信機である住戸受信機の各種機能試験の動作を説明するためのフローチャートである。
【図４】本実施の形態に係る火災受信機である住戸受信機の導通試験を説明するためのフローチャートである。
【符号の説明】
１　　　火災報知設備
１０　　　住棟受信機
１１　　　非常電源装置
２０　　　火災感知器
３０　　　住戸受信機
３１　　制御部
３２　　電源部
３３　　伝送部
３４　　地区回路部
３５　　音響・音声発生部
３６　　音響装置
４１　　火災灯
４２　　警報音停止灯
４３　　電源灯
５１　　火災確定スイッチ
５２　　音響停止スイッチ
５３　　火災試験スイッチ
５４　　スイッチ入力部
６１　　戸外表示灯点灯部
６２　　導通試験入力部
６３　　音響・音声増幅部
７０　　　戸外表示器
７１　　表示灯
７２　　試験スイッチ
７３　　スピーカ
【図１】
2004110641.tif 000003
【図２】
2004110641.tif 000004
【図３】
2004110641.tif 000005
【図４】
2004110641.tif 000006